(57)【要約】  少なくとも薬剤を容易に補充あるいは交換することができる薬剤投与装置を提供することを目的とし、薬剤を溜め、該薬剤を薬剤投与側に供給する薬剤リザーバ１０と、薬剤リザーバ１０内の薬剤を押し出す駆動液を薬剤リザーバ１０に可変に吐出して薬剤を押し出す駆動本体部３０と、を備え、少なくとも薬剤リザーバ１０を着脱可能としている。さらに、駆動液部１１を薬剤リザーバ１０と一体形成して駆動液リザーバ内の駆動液およびバッテリを交換可能としてもよい。また、駆動液部１１と薬剤リザーバ１０とがそれぞれ個別に着脱可能としてもよい。
2009119519.tif 000002
【特許請求の範囲】
【請求項１】
少なくとも薬剤を溜め、該薬剤を薬剤投与側に供給する薬剤リザーバと、
前記薬剤リザーバ内の薬剤を押し出す駆動手段と、
を備え、少なくとも前記薬剤リザーバが着脱可能であることを特徴とする薬剤投与装置。
【請求項２】
前記駆動手段は、駆動発生手段と駆動伝達手段とを有し、
前記駆動発生手段によって発生された駆動力を前記駆動伝達手段によって前記薬剤リザーバに入った薬剤を押し出すように構成されており、
前記薬剤リザーバと前記駆動伝達手段とが着脱可能であることを特徴とする請求項１に記載の薬剤投与装置。
【請求項３】
前記薬剤リザーバの少なくとも一部は、管状をなしていることを特徴とする請求項１に記載の薬剤投与装置。
【請求項４】
前記駆動手段は、
駆動液を溜める駆動液リザーバと、
前記駆動液を前記薬剤リザーバに可変に吐出する可変容量ポンプを含む駆動部と、
を備え、少なくとも前記薬剤リザーバと前記駆動液リザーバとが着脱可能であることを特徴とする請求項１に記載の薬剤投与装置。
【請求項５】
前記薬剤リザーバと前記駆動液リザーバとが一体形成され、前記薬剤リザーバと前記駆動液リザーバとが一体的に着脱可能であることを特徴とする請求項４に記載の薬剤投与装置。
【請求項６】
体内に埋め込まれて前記薬剤を体内の処置対象に導くカニューラを備え、
前記駆動部は、体外に配置される前記カニューラの基部に対して着脱可能であり、
前記薬剤リザーバ、または前記薬剤リザーバおよび前記駆動液リザーバが前記駆動部に対して着脱可能であることを特徴とする請求項４に記載の薬剤投与装置。
【請求項７】
前記薬剤リザーバは、少なくとも一部がループ又はループが連続したコイル状の管状部材によって形成され、
前記駆動手段が前記ループ又はコイル状の管状部材が形成する内部空間に設けられることを特徴とする請求項１に記載の薬剤投与装置。
【請求項８】
前記薬剤リザーバは、少なくとも一部がループ又はループが連続したコイル状の管状部材によって形成され、
前記駆動液リザーバおよび／または前記駆動部が前記少なくとも一部がループ又はループが連続したコイル状の管状部材が形成する内部空間に設けられることを特徴とする請求項３に記載の薬剤投与装置。
【請求項９】
前記カニューラの基部が、前記薬剤リザーバが形成する内部空間に設けられることを特徴とする請求項７または８に記載の薬剤投与装置。
【請求項１０】
着脱可能な前記薬剤リザーバに前記駆動手段を駆動させる電源が設けられ、該電源が前記駆動手段に接続可能であることを特徴とする請求項１に記載の薬剤投与装置。
【請求項１１】
前記薬剤を受け入れて生体内に該薬剤を送出する受入口に該薬剤の逆流を防止する一方向弁を設けたことを特徴とする請求項１に記載の薬剤投与装置。
【請求項１２】
前記駆動部は、前記駆動液リザーバから前記駆動液を取得する取得口にフィルタを設けたことを特徴とする請求項３に記載の薬剤投与装置。
【請求項１３】
前記薬剤リザーバは、薬剤の投与量に関する薬剤投与情報を入力する情報入力部を備え、
前記駆動手段は、前記薬剤投与情報を取得し、該薬剤投与情報をもとに前記駆動液の吐出を制御する駆動制御手段を備えたことを特徴とする請求項１に記載の薬剤投与装置。
【発明の詳細な説明】
【技術分野】
【０００１】
この発明は、抗癌剤などの薬剤を直接かつ比較的長期間にわたり連続的に患部などの処置対象に投与する薬剤投与装置に関するものである。
【背景技術】
【０００２】
従来、浸透圧ポンプ（非特許文献１参照）を用いて、１０ｍｌ程度の微量の薬剤を、たとえば１週間程度の比較的長い所定時間をかけて連続的に投与することが行われていた。【０００３】
【非特許文献１】Theewes  F  and  Yum  SI.Principles  of  the  operation  of  genericosmotic  pump  for  the  delivery  of  semisolid  or  liquid  drug  formulations.Ann  Biomed  Eng  1976,4(4):343-353
【発明の開示】
【発明が解決しようとする課題】
【０００４】
しかしながら、上述した浸透圧ポンプは、不透膜内に薬剤が溜められ、この不透膜を包むようにポンプ表面を形成する半透膜を介して外部から水が浸透することによって薬剤が押し出されるようになっているため、薬剤の補充あるいは変更が困難であり、薬剤の補充あるいは変更を行う場合、浸透圧ポンプ自体を交換する必要があった。【０００５】
また、モータの発生する駆動力を、カムやピン、ローラー等で伝達し、チューブをしごいて薬剤を送出する、いわゆるペリスタポンプ（登録商標）（あるいはチューブポンプとも呼ばれる）も知られている。このペリスタポンプでも薬剤はチューブに充填されるので、薬剤の交換はペリスタポンプ自体を交換する必要があった。【０００６】
このような薬剤等の補充あるいは変更が困難な課題は、浸透圧ポンプやペリスタポンプに限定されず、例えば電気浸透流ポンプのような他のタイプのポンプでも存在している。【０００７】
この発明は、上記に鑑みてなされたものであって、少なくとも薬剤を容易に補充あるいは交換することができる薬剤投与装置を提供することを目的とする。
【課題を解決するための手段】
【０００８】
上述した課題を解決し、目的を達成するために、この発明にかかる薬剤投与装置は、少なくとも薬剤を溜め、該薬剤を薬剤投与側に供給する薬剤リザーバと、前記薬剤リザーバ内の薬剤を押し出す駆動手段と、を備え、少なくとも前記薬剤リザーバが着脱可能であることを特徴とする。【０００９】
また、この発明にかかる薬剤投与装置は、上記の発明において、前記駆動手段は、駆動発生手段と駆動伝達手段とを有し、前記駆動発生手段によって発生された駆動力を前記駆動伝達手段によって前記薬剤リザーバに入った薬剤を押し出すように構成されており、
前記薬剤リザーバと前記駆動伝達手段とが着脱可能であることを特徴とする。【００１０】
また、この発明にかかる薬剤投与装置は、上記の発明において、前記薬剤リザーバの少なくとも一部は、管状をなしていることを特徴とする。【００１１】
また、この発明にかかる薬剤投与装置は、上記の発明において、前記駆動手段は、駆動液を溜める駆動液リザーバと、前記駆動液を前記薬剤リザーバに可変に吐出する可変容量ポンプを含む駆動部と、を備え、少なくとも前記薬剤リザーバと前記駆動液リザーバとが着脱可能であることを特徴とする。【００１２】
また、この発明にかかる薬剤投与装置は、上記の発明において、前記薬剤リザーバと前記駆動液リザーバとが一体形成され、前記薬剤リザーバと前記駆動液リザーバとが一体的に着脱可能であることを特徴とする。【００１３】
また、この発明にかかる薬剤投与装置は、上記の発明において、体内に埋め込まれて前記薬剤を体内の処置対象に導くカニューラを備え、前記駆動部は、体外に配置される前記カニューラの基部に対して着脱可能であり、前記薬剤リザーバ、または前記薬剤リザーバおよび前記駆動液リザーバが前記駆動部に対して着脱可能であることを特徴とする。【００１４】
また、この発明にかかる薬剤投与装置は、上記の発明において、前記薬剤リザーバは、少なくとも一部がループ又はループが連続したコイル状の管状部材によって形成され、前記駆動手段が前記ループ又はコイル状の管状部材が形成する内部空間に設けられることを特徴とする。【００１５】
また、この発明にかかる薬剤投与装置は、上記の発明において、前記薬剤リザーバは、少なくとも一部がループ又はループが連続したコイル状の管状部材によって形成され、前記駆動液リザーバおよび／または前記駆動部が前記少なくとも一部がループ又はループが連続したコイル状の管状部材が形成する内部空間に設けられることを特徴とする。【００１６】
また、この発明にかかる薬剤投与装置は、上記の発明において、前記カニューラの基部が、前記薬剤リザーバが形成する内部空間に設けられることを特徴とする。【００１７】
また、この発明にかかる薬剤投与装置は、上記の発明において、着脱可能な前記薬剤リザーバに前記駆動手段を駆動させる電源が設けられ、該電源が前記駆動手段に接続可能であることを特徴とする。【００１８】
また、この発明にかかる薬剤投与装置は、上記の発明において、前記薬剤を受け入れて生体内に該薬剤を送出する受入口に該薬剤の逆流を防止する一方向弁を設けたことを特徴とする。【００１９】
また、この発明にかかる薬剤投与装置は、上記の発明において、前記駆動部は、前記駆動液リザーバから前記駆動液を取得する取得口にフィルタを設けたことを特徴とする。【００２０】
また、この発明にかかる薬剤投与装置は、上記の発明において、前記薬剤リザーバは、薬剤の投与量に関する薬剤投与情報を入力する情報入力部を備え、前記駆動手段は、前記薬剤投与情報を取得し、該薬剤投与情報をもとに前記駆動液の吐出を制御する駆動制御手段を備えたことを特徴とする。
【発明の効果】
【００２１】
この発明によれば、少なくとも薬剤を溜め、該薬剤を薬剤投与側に供給する薬剤リザーバと、前記薬剤リザーバ内の薬剤を押し出す駆動液を前記薬剤リザーバに可変に吐出して前記薬剤を押し出す駆動手段と、を備えた薬剤投与装置であっても、少なくとも前記駆動液リザーバが着脱可能であるようにしているので、薬剤を容易に補充あるいは交換することができる。
【図面の簡単な説明】
【００２２】
【図１】図１は、この発明の実施の形態１にかかる薬剤投与装置が生体に適用された状態を示す模式図である。
【図２】図２は、図１に示した薬剤投与装置の分解斜視図である。
【図３】図３は、図１に示した薬剤投与装置の断面図である。
【図４】図４は、図１に示した薬剤投与装置の分解断面図である。
【図５】図５は、この発明の実施の形態２である薬剤投与装置の分解斜視図である。
【図６】図６は、図５に示した薬剤投与装置の断面図である。
【図７】図７は、図５に示した薬剤投与装置の分解断面図である。
【図８】図８は、この発明の実施の形態３である薬剤投与装置の分解斜視図である。
【図９】図９は、図８に示した薬剤投与装置の断面図である。
【図１０】図１０は、図８に示した薬剤投与装置の分解断面図である。
【図１１】図１１は、バッテリを薬剤リザーバ側に設けた構成を示す分解断面図である。
【図１２】図１２は、薬剤を直接吐出するペリスタポンプを駆動手段として用いた構成を示す分解斜視図である。
【符号の説明】
【００２３】
１    薬剤投与装置
１ａ  薬剤部
１ｂ  カニューラ
２    処置対象
３    生体
１０    薬剤リザーバ
１１    駆動液部
１２    駆動液リザーバ
１３    バッテリ
２０    駆動部
２１    駆動液排出部
２２    駆動液取水部
２２ａ  フィルタ
２３    薬剤受入部
２３ａ  一方向弁
２４    電極
２５    基部
２６    ポンプ駆動部
２７    ポンプ部
３０    駆動本体部
３１    駆動液接続部
３２    薬剤接続部
３３    情報入力部
３４    情報検出部
４１    薬剤駆動部
４３    薬剤連結部
Ｆ１１，Ｆ１２，Ｆ２１，Ｆ２２  流路
Ｓ    体表面
【発明を実施するための最良の形態】
【００２４】
以下、図面を参照して、この発明にかかる薬剤投与装置の好適な実施の形態を詳細に説明する。なお、この実施の形態によってこの発明が限定されるものではない。【００２５】
（実施の形態１）
図１は、この発明の実施の形態１にかかる薬剤投与装置が人体などの生体に適用された状態を示す図である。図１において、この薬剤投与装置１は、カニューラ１ｂと薬剤部１aを有する。カニューラ１ｂは、先端部分が癌などの患部である処置対象２に対して薬剤を導くカニューラ本体が生体３内に埋め込まれ、生体３の体表面Ｓ上にその基部が配置される。薬剤部１ａは、カニューラ１ｂの基部２５に対して着脱可能であってカニューラ１ｂに薬剤を送出する。この薬剤投与装置１は、生体３内の癌などの処置対象２に対して、数十ｍｌ程度の薬剤、たとえばフルオロウラシル（５−ＦＵ）などの抗癌剤を、１週間程度の長期間にわたり連続的かつ集中的に吐出して投与するものである。【００２６】
図２は、図１に示した薬剤投与装置１の分解斜視図である。また、図３は、図１に示した薬剤投与装置１の断面図である。さらに、図４は、図１に示した薬剤投与装置１の分解断面図である。図２〜図４において、薬剤投与装置１は、上述したように、大きくは薬剤部１ａとカニューラ１ｂとからなる。薬剤部１ａは、略円筒状の薬剤リザーバ１０と、略円筒状の筐体に覆われた駆動本体部３０（駆動手段）を有する。薬剤リザーバ１０は、ループ又はループが連続したコイル状のパイプが二重に密に巻き付けられ、このパイプの中に薬剤を溜めたものである。駆動本体部３０は、駆動液部１１と駆動部２０と基部２５を有する。駆動液部１１は、この円筒状の薬剤リザーバ１０の内部空間に位置し、略円筒状の筐体に覆われ、少なくとも、薬剤を押し出す駆動液（駆動伝達手段）を溜めた駆動液リザーバ１２を有する。駆動部２０はポンプ部２７（駆動発生手段）を有する。ポンプ部２７は、薬剤リザーバ１０の内部空間に位置し、駆動液部１１に隣接して配置される。ポンプ部２７は、例えば、薬剤を押し出すための駆動液を押し出す電気浸透流ポンプ１２によって実現される。【００２７】
駆動液部１１、駆動部２０、および基部２５は、それぞれ略円柱状をなし、薬剤リザーバ１０が形成する円柱状の内部空間の軸方向でカニューラ１ｂ側に向かって順次組み付けられて一体形成されている。なお、駆動本体部３０は、薬剤リザーバ１０内の薬剤を押し出す駆動手段として機能する。また、薬剤リザーバ１０は、駆動本体部３０に対して着脱可能に組み立てられる。【００２８】
駆動液部１１内の駆動液リザーバ１２は、駆動部２０の略中央に設けられた駆動液取水部２２において駆動部２０のポンプ部２７に組み立て時に結合される。この駆動液取水部２２の取水口には、駆動液へのパーティクルなどの混入を防止するフィルタ２２ａが設けられている。駆動部２０内のポンプ部２７の出力側は、駆動部２０内の流路Ｆ２１および駆動液排出部２１、ならびに駆動液部１１内の流路Ｆ１１を介して薬剤リザーバ１０の入力側に接続される。薬剤リザーバ１０のパイプは、図３上、上部左の上部外側→下部外側→下部内側→上部右の上部内側に繋がっている。薬剤リザーバ１０内に導入された駆動液により薬剤リザーバ１０内の薬剤が押し出される。押し出された薬剤は、駆動本体部３０内の流路Ｆ１２、ならびに基部２５に設けられた薬剤受入部２３および流路Ｆ２２を介してカニューラ１ｂに送出される。この薬剤受入部２３と流路Ｆ１２とは、組み立て時に結合される。この薬剤受入部２３には、薬剤リザーバ１０を取り外したときに、体内側の圧が高いために生体３側からの薬剤が逆流するのを防止する逆止弁として機能する一方向弁２３ａを設けている。【００２９】
駆動部２０内には、ポンプ部２７を駆動制御するポンプ駆動部２６を有する。また、駆動液部１１の上部には、バッテリ１３を有する。駆動部２０の駆動液部１１との接合面には、電極２４が設けられ、バッテリ１３が供給するエネルギーは、少なくとも電極２４を介してポンプ駆動部２６に供給される。【００３０】
駆動液リザーバ１２と薬剤リザーバ１０との間には、上述したように、薬剤を押し出すための駆動液を押し出す電気浸透流ポンプによって実現されるポンプ部２７を有する。電気浸透流ポンプの動作原理は、電気浸透材（多孔質体）の細孔内の表面がマイナスに帯電し、表面近傍では、プラスイオンが過剰になり、外部から加えられた電界によりプラスイオンが力を受けて移動し、駆動液に流れを生じさせることによって、駆動液を吐出する。したがって、電界の強度を変化させることによって、駆動液の吐出量を変化させることができる。なお、駆動液は、図示しない補充部を有し、この補充部を介して外部から補充できる構造となっている。駆動液は、超純水等を用いることが望ましい。【００３１】
ポンプ部２７は、駆動液リザーバ１２から駆動液を取得し、この駆動液を薬剤リザーバ１０内に押し出すことによって薬剤リザーバ１０外のカニューラ１ｂに間接的に薬剤を押し出すようにしている。なお、駆動液と薬剤との間には、互いに混じらないようにするため、空気層やオイルが設けられ、駆動液と薬剤とを分離している。【００３２】
ここで、上述した薬剤リザーバ１０は、駆動本体部３０に対して着脱可能である。薬剤リザーバ１０と駆動本体部３０との結合は、薬剤リザーバ１０の入口と出口とを結合する駆動液接続部３１および薬剤接続部３２によってなされ、駆動液リザーバ１０の内壁がガイドとなって駆動本体部３０と着脱が行われる。薬剤リザーバ１０側の駆動液接続部３１は、駆動本体部３０の流路Ｆ１１に着脱自在に接続される。薬剤リザーバ１０側の薬剤接続部３２は、駆動本体部３０の流路Ｆ１２に着脱自在に接続される。薬剤リザーバ１０内の薬剤は、消耗品であり、薬剤リザーバ１０ごと一体のカートリッジとして交換される。特に、カニューラ１ｂが生体３内に埋め込まれた状態であっても、薬剤リザーバ１０のみを交換し、連続的な薬剤投与を行うことができる。【００３３】
なお、薬剤リザーバ１０は、薬剤の投与量に関する薬剤投与情報であって、当該薬剤リザーバに固有の薬剤投与情報を入力する情報入力部３３を有する。駆動本体部３０は、情報入力部３３が入力する薬剤投与情報を検出する情報検出部３４を有する。情報入力部３３は、溜められている薬剤の薬剤投与情報を３ビット情報として示す３つの突起を有し、薬剤リザーバ１０の内部空間側に設けられる。ここで、薬剤投与情報の例としては、単位時間当たりの薬剤の標準投与量（ｍｌ／ｈ）、最大投与量、薬剤の有効量などがあるが、これに限らない。もちろん、情報入力部３３は、３つの突起以外にも、様々な態様が可能である。一方、情報検出部３４は、３つの突起に対応した３ビット情報を検出する検出部を有する。この情報入力部３３と情報検出部３４とは、薬剤リザーバ１０が駆動本体部３０に装着された場合に、薬剤接続部３２および駆動液接続部３１を周方向の位置決め機構として用いてビット対応位置が結合される。【００３４】
薬剤投与情報は、薬剤の投与量を示す情報を３ビットで表しており、情報検出部３４で検出された情報は、電極２４を介してポンプ駆動部２６に入力される。ポンプ駆動部２６は、この入力された薬剤投与情報をもとにポンプ部２７を制御することによって薬剤投与量を制御する。なお、薬剤投与量情報には、薬剤投与量に関する時間プロファイル情報を示すものであってもよい。ここで、ポンプ駆動部２６は、入力される薬剤投与量情報であるビット情報に対応する具体的な薬剤投与量情報を記憶しておくことが好ましい。また、上述した３ビットでは、８種類の薬剤投与情報を示すものであったが、これに限らず、さらに多いビット数に対応した情報入力部と情報検出部とを持たせるようにしてもよい。また、薬剤接続部３２や駆動液接続部３１の取付位置を、情報入力部３３の突起位置（ビット位置）に対応させる構成をとることによって、薬剤投与情報を入力するようにしてもよい。なお、上述した情報入力部３３および情報検出部３４とは、物理的な接触によって薬剤投与情報を入力するようにしていたが、電気的な接触によって薬剤投与情報を入力するようにしてもよいし、予め薬剤リザーバ１０側に薬剤投与情報を示すビット情報を記憶するメモリチップあるいはビットスイッチを設け、薬剤リザーバ１０の装着時に電気的な接触をもってポンプ駆動部２６がビット情報を読み出すようにしてもよい。要は、薬剤リザーバ１０の装着によって薬剤投与情報が入力されるものであればよい。ここで、従来の浸透圧ポンプでは薬剤の変更が困難であったが、この実施の形態では、薬剤の変更ができ、しかも薬種が変わった際に、新たな用量に対応することができる。そして、上述したように、薬剤リザーバ１０に薬剤投与情報を備えることにより、薬剤の変更を行う場合に、ヒューマンエラーによる用量設定ミスを防ぐことができる。【００３５】
この実施の形態１では、薬剤リザーバ１０が駆動本体部３０に対して着脱自在で、薬剤リザーバ１０の交換が可能になり、駆動液を用いて薬剤投与量を可変に制御する駆動本体部３０を有する薬剤投与装置であっても、消耗品である薬剤の交換を容易に行うことができる。【００３６】
（実施の形態２）
つぎに、この発明の実施の形態２について説明する。上述した実施の形態では、薬剤リザーバ１０のみが着脱可能であったが、この実施の形態２では、薬剤リザーバ１０と駆動液部１１とが一体形成され、薬剤のみならず、薬剤とともに駆動液をも交換できるように
している。即ち、駆動液部１１を駆動本体部３０（駆動手段）側でなく、薬剤リザーバ１０側に設けたものである。一体化した薬剤リザーバ１０と駆動液部１１は、駆動本体部３０に対して、着脱可能である。【００３７】
図５は、この発明の実施の形態２にかかる薬剤投与装置の分解斜視図である。また、図６は、図５に示した薬剤投与装置の断面図である。さらに、図７は、図５に示した薬剤投与装置の分解断面図である。図５〜図７において、この薬剤投与装置は、駆動液部１１と駆動部２０とが着脱可能となるように、流路Ｆ１２内に薬剤連結部４３を駆動部２０側に設けている。また、薬剤リザーバ１０と駆動液部１１とは一体形成され、この実施の形態２では、実施の形態１に示した薬剤接続部３２および駆動液接続部３１とを削除し、薬剤リザーバ１０の薬剤の入口と出口とがそれぞれ、流路Ｆ１１，Ｆ１２に直接接続されている。その他の構成は、実施の形態１と同じである。【００３８】
一体形成された薬剤リザーバ１０と駆動液部１１とからなる薬剤駆動部４１は、駆動部２０に対して着脱自在である。なお、実施の形態１と同様な薬剤投与情報は、薬剤駆動部４１が一体形成されるときに設定され、電極２４を介して駆動部２０側に入力される。もちろん、駆動液部１１あるいは薬剤リザーバ１０と、駆動部２０との間に、それぞれ情報入力部および情報検出部に対応する構成をもたせるようにしてもよい。【００３９】
この実施の形態２では、薬剤リザーバ１０および駆動液部１１が一体形成されて着脱可能であるため、薬剤リザーバ１０内の薬剤、駆動液部１１内の駆動液およびバッテリ１３などの消耗品を一体として容易に交換することができる。【００４０】
（実施の形態３）
つぎに、この発明の実施の形態３について説明する。上述した実施の形態１では、薬剤リザーバ１０のみが着脱可能であり、実施の形態２では、薬剤リザーバ１０および駆動液部１１が着脱可能であったが、この実施の形態３では、薬剤リザーバ１０および駆動液部１１が個別に着脱可能なように形成されている。【００４１】
図８は、この発明の実施の形態３にかかる薬剤投与装置の分解斜視図である。また、図９は、図８に示した薬剤投与装置の断面図である。さらに、図１０は、図８に示した薬剤投与装置の分解断面図である。図８〜図１０において、この薬剤投与装置は、実施の形態２の構成に、実施の形態１で示した薬剤接続部３２および駆動液接続部３１を設け、薬剤リザーバ１０が駆動液部１１に対して着脱可能としている。【００４２】
この実施の形態３では、薬剤リザーバ１０と、駆動液部１１とがそれぞれ着脱可能であるため、さらに任意の消耗品の交換を柔軟かつ容易に行うことができる。【００４３】
なお、上述した実施の形態１，３では、いずれもバッテリ１３が駆動液部１１側に設けていたが、これに限らず、図１１に示すように薬剤リザーバ１０側に設けるようにしてもよい。特に、実施の形態１のように薬剤リザーバ１０のみが着脱可能な場合に、消耗品であるバッテリ交換を適切に行うことができる。【００４４】
また、上述した実施の形態１〜３では、いずれも電気浸透流ポンプを例にあげて説明したが、これに限らず、他のタイプのポンプ、たとえばペリスタポンプを駆動手段として用いてもよい。この場合、ペリスタポンプは、直接、薬剤を吐出することができるため、駆動液部１１をもたない構成とすることができる。たとえば、図１２に示すように、着脱可能な薬剤リザーバ１０内の薬剤を、ペリスタポンプによって実現される駆動本体部１３０によってカニューラ１ｂ側に吐出するようにしてもよい。この場合、駆動本体部（駆動手段）１３０を回転モータ（駆動発生手段）の軸に偏芯カム（駆動伝達手段）を装着した構造とし、薬剤リザーバをループ状に配設された管路であるチューブ構造としてもよい。そして回転モータの回転により駆動される偏芯カムがループ状のチューブを外部から押して変形させながら、チューブ内部に存在する薬剤を押し出して前進させる機構とすることができる。このように、幾何学的な配置において、ループ状管路のループの内側に薬剤を駆動する駆動手段を設ければ、コンパクトな設計が可能である。なお、薬剤リザーバは、駆動手段の内部に限定されず他の部位、例えば上部に設けても良い。
【産業上の利用可能性】
【００４５】
以上のように、この発明にかかる薬剤投与装置は、抗癌剤などの薬剤を投与するものに有用であり、特に、薬剤を直接かつ比較的長期間にわたり連続的に患部などの処置対象に投与する薬剤投与装置に適している。
【図１】
2009119519.tif 000003
【図２】
2009119519.tif 000004
【図３】
2009119519.tif 000005
【図４】
2009119519.tif 000006
【図５】
2009119519.tif 000007
【図６】
2009119519.tif 000008
【図７】
2009119519.tif 000009
【図８】
2009119519.tif 000010
【図９】
2009119519.tif 000011
【図１０】
2009119519.tif 000012
【図１１】
2009119519.tif 000013
【図１２】
2009119519.tif 000014
【手続補正書】
【提出日】平成23年1月14日(2011.1.14)
【手続補正１】
【補正対象書類名】明細書
【補正対象項目名】全文
【補正方法】変更
【補正の内容】
【発明の詳細な説明】
【技術分野】
【０００１】
この発明は、抗癌剤などの薬剤を直接かつ比較的長期間にわたり連続的に患部などの処置対象に投与する薬剤投与装置に関するものである。
【背景技術】
【０００２】
従来、浸透圧ポンプ（非特許文献１参照）を用いて、１０ｍｌ程度の微量の薬剤を、たとえば１週間程度の比較的長い所定時間をかけて連続的に投与することが行われていた。
【先行技術文献】
【非特許文献】
【０００３】
【非特許文献１】Theewes  F  and  Yum  SI.Principles  of  the  operation  of  genericosmotic  pump  for  the  delivery  of  semisolid  or  liquid  drug  formulations.Ann  Biomed  Eng  1976,4(4):343-353
【発明の概要】
【発明が解決しようとする課題】
【０００４】
しかしながら、上述した浸透圧ポンプは、不透膜内に薬剤が溜められ、この不透膜を包むようにポンプ表面を形成する半透膜を介して外部から水が浸透することによって薬剤が押し出されるようになっているため、薬剤の補充あるいは変更が困難であり、薬剤の補充あるいは変更を行う場合、浸透圧ポンプ自体を交換する必要があった。
【０００５】
また、モータの発生する駆動力を、カムやピン、ローラー等で伝達し、チューブをしごいて薬剤を送出する、いわゆるペリスタポンプ（登録商標）（あるいはチューブポンプとも呼ばれる）も知られている。このペリスタポンプでも薬剤はチューブに充填されるので、薬剤の交換はペリスタポンプ自体を交換する必要があった。
【０００６】
このような薬剤等の補充あるいは変更が困難な課題は、浸透圧ポンプやペリスタポンプに限定されず、例えば電気浸透流ポンプのような他のタイプのポンプでも存在している。
【０００７】
この発明は、上記に鑑みてなされたものであって、少なくとも薬剤を容易に補充あるいは交換することができる薬剤投与装置を提供することを目的とする。
【課題を解決するための手段】
【０００８】
上述した課題を解決し、目的を達成するために、この発明にかかる薬剤投与装置は、少なくとも薬剤を溜め、該薬剤を薬剤投与側に供給する薬剤リザーバと、前記薬剤リザーバ内の薬剤を押し出す駆動手段と、を備え、少なくとも前記薬剤リザーバが着脱可能であることを特徴とする。
【０００９】
また、この発明にかかる薬剤投与装置は、上記の発明において、前記駆動手段は、駆動発生手段と駆動伝達手段とを有し、前記駆動発生手段によって発生された駆動力を前記駆動伝達手段によって前記薬剤リザーバに入った薬剤を押し出すように構成されており、
前記薬剤リザーバと前記駆動伝達手段とが着脱可能であることを特徴とする。
【００１０】
また、この発明にかかる薬剤投与装置は、上記の発明において、前記薬剤リザーバの少なくとも一部は、管状をなしていることを特徴とする。
【００１１】
また、この発明にかかる薬剤投与装置は、上記の発明において、前記駆動手段は、駆動液を溜める駆動液リザーバと、前記駆動液を前記薬剤リザーバに可変に吐出する可変容量ポンプを含む駆動部と、を備え、少なくとも前記薬剤リザーバと前記駆動液リザーバとが着脱可能であることを特徴とする。
【００１２】
また、この発明にかかる薬剤投与装置は、上記の発明において、前記薬剤リザーバと前記駆動液リザーバとが一体形成され、前記薬剤リザーバと前記駆動液リザーバとが一体的に着脱可能であることを特徴とする。
【００１３】
また、この発明にかかる薬剤投与装置は、上記の発明において、体内に埋め込まれて前記薬剤を体内の処置対象に導くカニューラを備え、前記駆動部は、体外に配置される前記カニューラの基部に対して着脱可能であり、前記薬剤リザーバ、または前記薬剤リザーバおよび前記駆動液リザーバが前記駆動部に対して着脱可能であることを特徴とする。
【００１４】
また、この発明にかかる薬剤投与装置は、上記の発明において、前記薬剤リザーバは、少なくとも一部がループ又はループが連続したコイル状の管状部材によって形成され、前記駆動手段が前記ループ又はコイル状の管状部材が形成する内部空間に設けられることを特徴とする。
【００１５】
また、この発明にかかる薬剤投与装置は、上記の発明において、前記薬剤リザーバは、少なくとも一部がループ又はループが連続したコイル状の管状部材によって形成され、前記駆動液リザーバおよび／または前記駆動部が前記少なくとも一部がループ又はループが連続したコイル状の管状部材が形成する内部空間に設けられることを特徴とする。
【００１６】
また、この発明にかかる薬剤投与装置は、上記の発明において、前記カニューラの基部が、前記薬剤リザーバが形成する内部空間に設けられることを特徴とする。
【００１７】
また、この発明にかかる薬剤投与装置は、上記の発明において、着脱可能な前記薬剤リザーバに前記駆動手段を駆動させる電源が設けられ、該電源が前記駆動手段に接続可能であることを特徴とする。
【００１８】
また、この発明にかかる薬剤投与装置は、上記の発明において、前記薬剤を受け入れて生体内に該薬剤を送出する受入口に該薬剤の逆流を防止する一方向弁を設けたことを特徴とする。
【００１９】
また、この発明にかかる薬剤投与装置は、上記の発明において、前記駆動部は、前記駆動液リザーバから前記駆動液を取得する取得口にフィルタを設けたことを特徴とする。
【００２０】
また、この発明にかかる薬剤投与装置は、上記の発明において、前記薬剤リザーバは、薬剤の投与量に関する薬剤投与情報を入力する情報入力部を備え、前記駆動手段は、前記薬剤投与情報を取得し、該薬剤投与情報をもとに前記駆動液の吐出を制御する駆動制御手段を備えたことを特徴とする。
【発明の効果】
【００２１】
この発明によれば、少なくとも薬剤を溜め、該薬剤を薬剤投与側に供給する薬剤リザーバと、前記薬剤リザーバ内の薬剤を押し出す駆動液を前記薬剤リザーバに可変に吐出して前記薬剤を押し出す駆動手段と、を備えた薬剤投与装置であっても、少なくとも前記駆動液リザーバが着脱可能であるようにしているので、薬剤を容易に補充あるいは交換することができる。
【図面の簡単な説明】
【００２２】
【図１】図１は、この発明の実施の形態１にかかる薬剤投与装置が生体に適用された状態を示す模式図である。
【図２】図２は、図１に示した薬剤投与装置の分解斜視図である。
【図３】図３は、図１に示した薬剤投与装置の断面図である。
【図４】図４は、図１に示した薬剤投与装置の分解断面図である。
【図５】図５は、この発明の実施の形態２である薬剤投与装置の分解斜視図である。
【図６】図６は、図５に示した薬剤投与装置の断面図である。
【図７】図７は、図５に示した薬剤投与装置の分解断面図である。
【図８】図８は、この発明の実施の形態３である薬剤投与装置の分解斜視図である。
【図９】図９は、図８に示した薬剤投与装置の断面図である。
【図１０】図１０は、図８に示した薬剤投与装置の分解断面図である。
【図１１】図１１は、バッテリを薬剤リザーバ側に設けた構成を示す分解断面図である。
【図１２】図１２は、薬剤を直接吐出するペリスタポンプを駆動手段として用いた構成を示す分解斜視図である。
【発明を実施するための形態】
【００２３】
以下、図面を参照して、この発明にかかる薬剤投与装置の好適な実施の形態を詳細に説明する。なお、この実施の形態によってこの発明が限定されるものではない。
【００２４】
（実施の形態１）
図１は、この発明の実施の形態１にかかる薬剤投与装置が人体などの生体に適用された状態を示す図である。図１において、この薬剤投与装置１は、カニューラ１ｂと薬剤部１aを有する。カニューラ１ｂは、先端部分が癌などの患部である処置対象２に対して薬剤を導くカニューラ本体が生体３内に埋め込まれ、生体３の体表面Ｓ上にその基部が配置される。薬剤部１ａは、カニューラ１ｂの基部２５に対して着脱可能であってカニューラ１ｂに薬剤を送出する。この薬剤投与装置１は、生体３内の癌などの処置対象２に対して、数十ｍｌ程度の薬剤、たとえばフルオロウラシル（５−ＦＵ）などの抗癌剤を、１週間程度の長期間にわたり連続的かつ集中的に吐出して投与するものである。
【００２５】
図２は、図１に示した薬剤投与装置１の分解斜視図である。また、図３は、図１に示した薬剤投与装置１の断面図である。さらに、図４は、図１に示した薬剤投与装置１の分解断面図である。図２〜図４において、薬剤投与装置１は、上述したように、大きくは薬剤部１ａとカニューラ１ｂとからなる。薬剤部１ａは、略円筒状の薬剤リザーバ１０と、略円筒状の筐体に覆われた駆動本体部３０（駆動手段）を有する。薬剤リザーバ１０は、ループ又はループが連続したコイル状のパイプが二重に密に巻き付けられ、このパイプの中に薬剤を溜めたものである。駆動本体部３０は、駆動液部１１と駆動部２０と基部２５を有する。駆動液部１１は、この円筒状の薬剤リザーバ１０の内部空間に位置し、略円筒状の筐体に覆われ、少なくとも、薬剤を押し出す駆動液（駆動伝達手段）を溜めた駆動液リザーバ１２を有する。駆動部２０はポンプ部２７（駆動発生手段）を有する。ポンプ部２７は、薬剤リザーバ１０の内部空間に位置し、駆動液部１１に隣接して配置される。ポンプ部２７は、例えば、薬剤を押し出すための駆動液を押し出す電気浸透流ポンプ１２によって実現される。
【００２６】
駆動液部１１、駆動部２０、および基部２５は、それぞれ略円柱状をなし、薬剤リザーバ１０が形成する円柱状の内部空間の軸方向でカニューラ１ｂ側に向かって順次組み付けられて一体形成されている。なお、駆動本体部３０は、薬剤リザーバ１０内の薬剤を押し出す駆動手段として機能する。また、薬剤リザーバ１０は、駆動本体部３０に対して着脱可能に組み立てられる。
【００２７】
駆動液部１１内の駆動液リザーバ１２は、駆動部２０の略中央に設けられた駆動液取水部２２において駆動部２０のポンプ部２７に組み立て時に結合される。この駆動液取水部２２の取水口には、駆動液へのパーティクルなどの混入を防止するフィルタ２２ａが設けられている。駆動部２０内のポンプ部２７の出力側は、駆動部２０内の流路Ｆ２１および駆動液排出部２１、ならびに駆動液部１１内の流路Ｆ１１を介して薬剤リザーバ１０の入力側に接続される。薬剤リザーバ１０のパイプは、図３上、上部左の上部外側→下部外側→下部内側→上部右の上部内側に繋がっている。薬剤リザーバ１０内に導入された駆動液により薬剤リザーバ１０内の薬剤が押し出される。押し出された薬剤は、駆動本体部３０内の流路Ｆ１２、ならびに基部２５に設けられた薬剤受入部２３および流路Ｆ２２を介してカニューラ１ｂに送出される。この薬剤受入部２３と流路Ｆ１２とは、組み立て時に結合される。この薬剤受入部２３には、薬剤リザーバ１０を取り外したときに、体内側の圧が高いために生体３側からの薬剤が逆流するのを防止する逆止弁として機能する一方向弁２３ａを設けている。
【００２８】
駆動部２０内には、ポンプ部２７を駆動制御するポンプ駆動部２６を有する。また、駆動液部１１の上部には、バッテリ１３を有する。駆動部２０の駆動液部１１との接合面には、電極２４が設けられ、バッテリ１３が供給するエネルギーは、少なくとも電極２４を介してポンプ駆動部２６に供給される。
【００２９】
駆動液リザーバ１２と薬剤リザーバ１０との間には、上述したように、薬剤を押し出すための駆動液を押し出す電気浸透流ポンプによって実現されるポンプ部２７を有する。電気浸透流ポンプの動作原理は、電気浸透材（多孔質体）の細孔内の表面がマイナスに帯電し、表面近傍では、プラスイオンが過剰になり、外部から加えられた電界によりプラスイオンが力を受けて移動し、駆動液に流れを生じさせることによって、駆動液を吐出する。したがって、電界の強度を変化させることによって、駆動液の吐出量を変化させることができる。なお、駆動液は、図示しない補充部を有し、この補充部を介して外部から補充できる構造となっている。駆動液は、超純水等を用いることが望ましい。
【００３０】
ポンプ部２７は、駆動液リザーバ１２から駆動液を取得し、この駆動液を薬剤リザーバ１０内に押し出すことによって薬剤リザーバ１０外のカニューラ１ｂに間接的に薬剤を押し出すようにしている。なお、駆動液と薬剤との間には、互いに混じらないようにするため、空気層やオイルが設けられ、駆動液と薬剤とを分離している。
【００３１】
ここで、上述した薬剤リザーバ１０は、駆動本体部３０に対して着脱可能である。薬剤リザーバ１０と駆動本体部３０との結合は、薬剤リザーバ１０の入口と出口とを結合する駆動液接続部３１および薬剤接続部３２によってなされ、駆動液リザーバ１０の内壁がガイドとなって駆動本体部３０と着脱が行われる。薬剤リザーバ１０側の駆動液接続部３１は、駆動本体部３０の流路Ｆ１１に着脱自在に接続される。薬剤リザーバ１０側の薬剤接続部３２は、駆動本体部３０の流路Ｆ１２に着脱自在に接続される。薬剤リザーバ１０内の薬剤は、消耗品であり、薬剤リザーバ１０ごと一体のカートリッジとして交換される。特に、カニューラ１ｂが生体３内に埋め込まれた状態であっても、薬剤リザーバ１０のみを交換し、連続的な薬剤投与を行うことができる。
【００３２】
なお、薬剤リザーバ１０は、薬剤の投与量に関する薬剤投与情報であって、当該薬剤リザーバに固有の薬剤投与情報を入力する情報入力部３３を有する。駆動本体部３０は、情報入力部３３が入力する薬剤投与情報を検出する情報検出部３４を有する。情報入力部３３は、溜められている薬剤の薬剤投与情報を３ビット情報として示す３つの突起を有し、薬剤リザーバ１０の内部空間側に設けられる。ここで、薬剤投与情報の例としては、単位時間当たりの薬剤の標準投与量（ｍｌ／ｈ）、最大投与量、薬剤の有効量などがあるが、これに限らない。もちろん、情報入力部３３は、３つの突起以外にも、様々な態様が可能である。一方、情報検出部３４は、３つの突起に対応した３ビット情報を検出する検出部を有する。この情報入力部３３と情報検出部３４とは、薬剤リザーバ１０が駆動本体部３０に装着された場合に、薬剤接続部３２および駆動液接続部３１を周方向の位置決め機構として用いてビット対応位置が結合される。
【００３３】
薬剤投与情報は、薬剤の投与量を示す情報を３ビットで表しており、情報検出部３４で検出された情報は、電極２４を介してポンプ駆動部２６に入力される。ポンプ駆動部２６は、この入力された薬剤投与情報をもとにポンプ部２７を制御することによって薬剤投与量を制御する。なお、薬剤投与量情報には、薬剤投与量に関する時間プロファイル情報を示すものであってもよい。ここで、ポンプ駆動部２６は、入力される薬剤投与量情報であるビット情報に対応する具体的な薬剤投与量情報を記憶しておくことが好ましい。また、上述した３ビットでは、８種類の薬剤投与情報を示すものであったが、これに限らず、さらに多いビット数に対応した情報入力部と情報検出部とを持たせるようにしてもよい。また、薬剤接続部３２や駆動液接続部３１の取付位置を、情報入力部３３の突起位置（ビット位置）に対応させる構成をとることによって、薬剤投与情報を入力するようにしてもよい。なお、上述した情報入力部３３および情報検出部３４とは、物理的な接触によって薬剤投与情報を入力するようにしていたが、電気的な接触によって薬剤投与情報を入力するようにしてもよいし、予め薬剤リザーバ１０側に薬剤投与情報を示すビット情報を記憶するメモリチップあるいはビットスイッチを設け、薬剤リザーバ１０の装着時に電気的な接触をもってポンプ駆動部２６がビット情報を読み出すようにしてもよい。要は、薬剤リザーバ１０の装着によって薬剤投与情報が入力されるものであればよい。ここで、従来の浸透圧ポンプでは薬剤の変更が困難であったが、この実施の形態では、薬剤の変更ができ、しかも薬種が変わった際に、新たな用量に対応することができる。そして、上述したように、薬剤リザーバ１０に薬剤投与情報を備えることにより、薬剤の変更を行う場合に、ヒューマンエラーによる用量設定ミスを防ぐことができる。
【００３４】
この実施の形態１では、薬剤リザーバ１０が駆動本体部３０に対して着脱自在で、薬剤リザーバ１０の交換が可能になり、駆動液を用いて薬剤投与量を可変に制御する駆動本体部３０を有する薬剤投与装置であっても、消耗品である薬剤の交換を容易に行うことができる。
【００３５】
（実施の形態２）
つぎに、この発明の実施の形態２について説明する。上述した実施の形態では、薬剤リザーバ１０のみが着脱可能であったが、この実施の形態２では、薬剤リザーバ１０と駆動液部１１とが一体形成され、薬剤のみならず、薬剤とともに駆動液をも交換できるように
している。即ち、駆動液部１１を駆動本体部３０（駆動手段）側でなく、薬剤リザーバ１０側に設けたものである。一体化した薬剤リザーバ１０と駆動液部１１は、駆動本体部３０に対して、着脱可能である。
【００３６】
図５は、この発明の実施の形態２にかかる薬剤投与装置の分解斜視図である。また、図６は、図５に示した薬剤投与装置の断面図である。さらに、図７は、図５に示した薬剤投与装置の分解断面図である。図５〜図７において、この薬剤投与装置は、駆動液部１１と駆動部２０とが着脱可能となるように、流路Ｆ１２内に薬剤連結部４３を駆動部２０側に設けている。また、薬剤リザーバ１０と駆動液部１１とは一体形成され、この実施の形態２では、実施の形態１に示した薬剤接続部３２および駆動液接続部３１とを削除し、薬剤リザーバ１０の薬剤の入口と出口とがそれぞれ、流路Ｆ１１，Ｆ１２に直接接続されている。その他の構成は、実施の形態１と同じである。
【００３７】
一体形成された薬剤リザーバ１０と駆動液部１１とからなる薬剤駆動部４１は、駆動部２０に対して着脱自在である。なお、実施の形態１と同様な薬剤投与情報は、薬剤駆動部４１が一体形成されるときに設定され、電極２４を介して駆動部２０側に入力される。もちろん、駆動液部１１あるいは薬剤リザーバ１０と、駆動部２０との間に、それぞれ情報入力部および情報検出部に対応する構成をもたせるようにしてもよい。
【００３８】
この実施の形態２では、薬剤リザーバ１０および駆動液部１１が一体形成されて着脱可能であるため、薬剤リザーバ１０内の薬剤、駆動液部１１内の駆動液およびバッテリ１３などの消耗品を一体として容易に交換することができる。
【００３９】
（実施の形態３）
つぎに、この発明の実施の形態３について説明する。上述した実施の形態１では、薬剤リザーバ１０のみが着脱可能であり、実施の形態２では、薬剤リザーバ１０および駆動液部１１が着脱可能であったが、この実施の形態３では、薬剤リザーバ１０および駆動液部１１が個別に着脱可能なように形成されている。
【００４０】
図８は、この発明の実施の形態３にかかる薬剤投与装置の分解斜視図である。また、図９は、図８に示した薬剤投与装置の断面図である。さらに、図１０は、図８に示した薬剤投与装置の分解断面図である。図８〜図１０において、この薬剤投与装置は、実施の形態２の構成に、実施の形態１で示した薬剤接続部３２および駆動液接続部３１を設け、薬剤リザーバ１０が駆動液部１１に対して着脱可能としている。
【００４１】
この実施の形態３では、薬剤リザーバ１０と、駆動液部１１とがそれぞれ着脱可能であるため、さらに任意の消耗品の交換を柔軟かつ容易に行うことができる。
【００４２】
なお、上述した実施の形態１，３では、いずれもバッテリ１３が駆動液部１１側に設けていたが、これに限らず、図１１に示すように薬剤リザーバ１０側に設けるようにしてもよい。特に、実施の形態１のように薬剤リザーバ１０のみが着脱可能な場合に、消耗品であるバッテリ交換を適切に行うことができる。
【００４３】
また、上述した実施の形態１〜３では、いずれも電気浸透流ポンプを例にあげて説明したが、これに限らず、他のタイプのポンプ、たとえばペリスタポンプを駆動手段として用いてもよい。この場合、ペリスタポンプは、直接、薬剤を吐出することができるため、駆動液部１１をもたない構成とすることができる。たとえば、図１２に示すように、着脱可能な薬剤リザーバ１０内の薬剤を、ペリスタポンプによって実現される駆動本体部１３０によってカニューラ１ｂ側に吐出するようにしてもよい。この場合、駆動本体部（駆動手段）１３０を回転モータ（駆動発生手段）の軸に偏芯カム（駆動伝達手段）を装着した構造とし、薬剤リザーバをループ状に配設された管路であるチューブ構造としてもよい。そして回転モータの回転により駆動される偏芯カムがループ状のチューブを外部から押して変形させながら、チューブ内部に存在する薬剤を押し出して前進させる機構とすることができる。このように、幾何学的な配置において、ループ状管路のループの内側に薬剤を駆動する駆動手段を設ければ、コンパクトな設計が可能である。なお、薬剤リザーバは、駆動手段の内部に限定されず他の部位、例えば上部に設けても良い。
【産業上の利用可能性】
【００４４】
以上のように、この発明にかかる薬剤投与装置は、抗癌剤などの薬剤を投与するものに有用であり、特に、薬剤を直接かつ比較的長期間にわたり連続的に患部などの処置対象に投与する薬剤投与装置に適している。
【符号の説明】
【００４５】
１    薬剤投与装置
１ａ  薬剤部
１ｂ  カニューラ
２    処置対象
３    生体
１０    薬剤リザーバ
１１    駆動液部
１２    駆動液リザーバ
１３    バッテリ
２０    駆動部
２１    駆動液排出部
２２    駆動液取水部
２２ａ  フィルタ
２３    薬剤受入部
２３ａ  一方向弁
２４    電極
２５    基部
２６    ポンプ駆動部
２７    ポンプ部
３０    駆動本体部
３１    駆動液接続部
３２    薬剤接続部
３３    情報入力部
３４    情報検出部
４１    薬剤駆動部
４３    薬剤連結部
Ｆ１１，Ｆ１２，Ｆ２１，Ｆ２２  流路
Ｓ    体表面
【手続補正２】
【補正対象書類名】特許請求の範囲
【補正対象項目名】全文
【補正方法】変更
【補正の内容】
【特許請求の範囲】
【請求項１】
駆動力を発生させる駆動発生手段を含む本体部と、
少なくとも薬剤を溜め、該薬剤を薬剤投与側に供給する薬剤リザーバと、前記駆動発生手段を駆動させる電源と、前記駆動発生手段で発生させた駆動力を前記薬剤リザーバに伝達して前記薬剤リザーバ内の薬剤を押し出す駆動伝達手段と、を含み、前記本体部と着脱可能なカートリッジ部と、
を備えたことを特徴とする薬剤投与装置。
【請求項２】
前記薬剤リザーバの少なくとも一部は、管状をなしていることを特徴とする請求項１に記載の薬剤投与装置。
【請求項３】
前記駆動伝達手段は、駆動液を溜める駆動液リザーバを含み、
前記駆動発生手段は、前記駆動液を前記薬剤リザーバに可変に吐出するポンプを含むことを特徴とする請求項１に記載の薬剤投与装置。
【請求項４】
体内に埋め込まれて前記薬剤を体内の処置対象に導くカニューラを前記本体部に備えたことを特徴とする請求項３に記載の薬剤投与装置。
【請求項５】
前記薬剤リザーバの管状部分は、少なくとも一部がループまたはループが連続したコイル状の管状部材であり、
前記駆動伝達手段は、前記少なくとも一部がループまたはループが連続したコイル状の管状部材が形成する内部空間に設けられていることを特徴とする請求項２に記載の薬剤投与装置。
【請求項６】
前記薬剤リザーバの管状部分は、少なくとも一部がループまたはループが連続したコイル状の管状部材であり、
前記駆動発生手段は、前記少なくとも一部がループまたはループが連続したコイル状の
管状部材が形成する内部空間に設けられていることを特徴とする請求項２に記載の薬剤投与装置。
【請求項７】
前記カニューラの基部が、前記薬剤リザーバが形成する内部空間に設けられることを特徴とする請求項５または６に記載の薬剤投与装置。
【請求項８】
前記薬剤を受け入れて生体内に該薬剤を送出する受入口に該薬剤の逆流を防止する一方向弁を設けたことを特徴とする請求項１に記載の薬剤投与装置。
【請求項９】
前記駆動液リザーバの前記駆動液を取得する取得口にフィルタを設けたことを特徴とする請求項３に記載の薬剤投与装置。
【請求項１０】
前記薬剤リザーバは、薬剤の投与量に関する薬剤投与情報を入力する情報入力部を備え、
前記駆動発生手段は、前記薬剤投与情報を取得し、該薬剤投与情報をもとに前記駆動液の吐出を制御する駆動制御手段を備えたことを特徴とする請求項１に記載の薬剤投与装置。
【国際調査報告】
2009119519.tif 000015
2009119519.tif 000016
2009119519.tif 000017
2009119519.tif 000018
2009119519.tif 000019
2009119519.tif 000020
2009119519.tif 000021